(57)【要約】【課題】総厚み寸法を小さくしつつ、スライド開放の距離を伸ばすことができる携帯端末を提供する。【解決手段】第１回路基板２３が収容された第１筐体２０と、第２回路基板３５が収容された第２筐体３０とは、互いに積層されて、積層方向に対して直交する方向に沿って相対的に移動可能となっている。そして、第１筐体２０における積層方向に対して直交する一対の後端面２２２に対面するとともに、第２筐体３０に支持されるスライドレール４１の内部に収容される摺動用部材４２を設け、連結部材２４により第１筐体２０と摺動用部材４２とを連結する。さらに、第１筐体２０の第１回路基板２３に接続された配線部材２５を、摺動用部材４２を経由して第２筐体３０の第２回路基板３５に接続する。これにより、互いに積層される第１筐体２０および第２筐体３０間に配線部材２５が配置されないため、第１筐体２０および第２筐体３０を密着させることができ、これにより総厚み寸法を小さくしつつ、スライド開放の距離を伸ばすことができる。【選択図】図３
2013135321.tif 000002
【特許請求の範囲】
【請求項１】
切欠部を有する第１筐体部と、
前記切欠部に収納され、前記第１筐体に対し、スライド可能な第２筐体と、
前記切欠部の内側面に設けられ、スライド方向に幅広に開口した開口部と、
前記第１筐体および前記第２筐体にそれぞれ収容された第１回路基板および第２回路基板と、
前記第１回路基板に接続されて前記第１筐体における前記開口部から引き出され、前記第２筐体の前記第２回路基板に接続される配線部材と、を備える携帯端末。
【請求項２】
請求項１に記載の携帯端末において、
前記第２筐体の側面に筒状部を有し、前記第２筐体がスライドすると前記筒状部が前記開口部内を摺動し、前記配線部材が前記筒状部内を通って、前記第１回路基板と前記第２回路基板とを接続する携帯端末。
【請求項３】
請求項１または請求項２に記載の携帯端末において、
前記配線部材が前記第１筐体の内部で折り返されている携帯端末。
【発明の詳細な説明】
【技術分野】
【０００１】
本発明は、互いに積層された第１筐体と第２筐体とをスライド可能に有するスライド式の携帯端末に関するものである。
【背景技術】
【０００２】
従来より、第１筐体と第２筐体とをスライド可能に有するスライド式の携帯端末が知られている（例えば、特許文献１参照）。
特許文献１に示すように、第１筐体に切欠部を設けて、この切欠部で第２筐体がスライド可能に接続されている。
【先行技術文献】
【特許文献】
【０００３】
【特許文献１】特開２００８−３０６４７９号公報
【発明の概要】
【発明が解決しようとする課題】
【０００４】
しかしながら、特許文献１の携帯端末は、第１筐体と第２筐体との間で電気的接続するためには、第１筐体と第２筐体とが対向する互いの面に、開口部を設けなければならず、そのため、スライド開閉する際に、第１筐体と第２筐体とが必ず重なる部分が必要となり、第１筐体には、第２筐体で常に隠れてしまう部分が大きくなってしまうという問題があった。
【０００５】
本発明は、従来の問題を解決するためになされたもので、総厚み寸法を薄型化しつつ、スライド開放の距離を伸ばすことができる携帯端末を提供することを目的とする。
【課題を解決するための手段】
【０００６】
本発明の携帯端末は、切欠部を有する第１筐体部と、前記切欠部に収納され、前記第１筐体に対し、スライド可能な第２筐体と、前記切欠部の内側面に設けられ、スライド方向に幅広に開口した開口部と、前記第１筐体および前記第２筐体にそれぞれ収容された第１回路基板および第２回路基板と、前記第１回路基板に接続されて前記第１筐体における前記開口部から引き出され、前記第２筐体の前記第２回路基板に接続される配線部材と、を備えるものである。
【０００７】
また、本発明の携帯端末は、前記第２筐体の側面に筒状部を有し、前記第２筐体がスライドすると前記筒状部が前記開口部内を摺動し、前記配線部材が前記筒状部内を通って、前記第１回路基板と前記第２回路基板とを接続するものである。
【０００８】
さらに、本発明の携帯端末は、前記配線部材が前記第１筐体の内部で折り返されているものである。
【発明の効果】
【０００９】
本発明は、切欠部を有する第１筐体部と、切欠部に収納され、第１筐体に対し、スライド可能な第２筐体と、切欠部の内側面に設けられ、スライド方向に幅広に開口した開口部と、第１筐体および第２筐体にそれぞれ収容された第１回路基板および第２回路基板と、第１回路基板に接続されて第１筐体における開口部から引き出され、第２筐体の第２回路基板に接続される配線部材と、を備えるため、第１筐体および第２筐体を密着させることができ、これにより総厚み寸法を小さくしつつ、スライド開放の距離を伸ばすことができるという効果を有する携帯端末を提供できる。
【図面の簡単な説明】
【００１０】
【図１】本発明に係る実施形態の携帯端末の閉じた状態の全体斜視図
【図２】本発明に係る実施形態の携帯端末の開いた状態の全体斜視図
【図３】本発明に係る実施形態の携帯端末の分解斜視図
【図４】図１中ＩＶ−ＩＶ位置の断面図
【図５】筒状部およびフレキシブルケーブルを示す斜視図
【図６】筒状部およびフレキシブルケーブルを示す斜視図
【図７】フレキシブルケーブルの変形例を示す斜視図
【図８】フレキシブルケーブルの変形例を示す斜視図
【図９】フレキシブルケーブルの変形例を示す斜視図
【発明を実施するための形態】
【００１１】
以下、本発明に係る実施形態の携帯端末について、図面を用いて説明する。
図１および図２に示すように、本発明に係る実施形態の携帯端末１０は、切欠部を有する第１筐体としての上筐体２０と、切欠部に収納され、上筐体２０に対し、スライド可能な第２筐体としての下筐体３０を有する。上筐体２０および下筐体３０は、積層方向に対して直交する方向（図２において左右方向）に沿って相対的にスライド可能に連結されている。
上筐体２０は矩形箱状をしており、上面２０１にＬＣＤ（液晶表示板）であるメインパネル２１を有する。下筐体３０は矩形箱状をしており、底面３０１にタッチパネルやＱＷＥＲＴＹキー等のメイン操作部３１を有する。
【００１２】
図３および図４に示すように、上筐体２０は、矩形枠状の上筐体ケース部２２を有しており、上筐体ケース部２２の中央部には開口部２２１を有する。開口部２２１には、メインパネル２１用のフレキシブルプリント基板からなる第１回路基板である表示部側回路基板２３および画面での操作も可能なタッチパネルを有するメインパネル２１が取り付けられる。
表示部側回路基板２３には表示部側コネクタ２３１が実装されており、配線部材として例えばフレキシブルケーブル２５の一端が接続される。
【００１３】
また、上筐体ケース部２２の後端面２２２における左側端部付近には、開口部２２３が設けられており、連結部材としてのレール摺動部２４が上筐体ケース部２２を貫通して設けられている。
レール摺動部２４は、上筐体ケース部２２側端部に設けられている筒状部２４１と、筒状部２４１に連続して設けられた平板状の支持部２４２を有する。従って、フレキシブルケーブル２５は、レール摺動部２４の筒状部２４１を貫通して上筐体２０の外部に導かれ、支持部２４２によって支持される。
【００１４】
下筐体３０は、上方が開口（開口部３２１）した矩形箱状の下筐体ケース部３２を有しており、開口部３２１の前端部を覆う下筐体前カバー３３と、開口部３２１の後端部を覆う下筐体後カバー３４を有する。
下筐体後カバー３４は、下筐体前カバー３３に比して前後方向の幅が大きく、内部には後述するスライドレール４１の内部に収容される摺動用部材４２が収容される。
【００１５】
また、図３においては、下筐体ケース部３２の内部における左前部に偏って、メイン操作部３１が収容されており、メイン操作部３１の周囲を囲むようにして、第２回路基板としてのメイン回路基板３５が収容される。メイン回路基板３５は、例えば全体Ｌ字形状をしており、後端部左には、メイン回路基板側コネクタ３５１が実装されている。このメイン回路基板側コネクタ３５１には、前述したフレキシブルケーブル２５の他端が接続される（図６参照）。
これにより、下筐体３０のメイン回路基板３５と上筐体２０の表示部側回路基板２３とが、フレキシブルケーブル２５により接続される。
なお、メイン回路基板３５は、必ずしもメイン操作部３１の周囲を囲むように構成する必要は無く、例えばメイン操作部３１と下筐体ケース部３２との積層方向に積み重なって配置されてもよく、即ち、下筐体ケース部３２の中に配置されていればよい。
【００１６】
スライドレール４１の内部に収容される摺動用部材４２は、上筐体２０における積層方向に対して直交する端面、すなわち、上筐体ケース部２２の後端面２２２に対面して下筐体３０に支持される。
スライドレール４１の内部に収容される摺動用部材４２は、前面（図４において左側）が開口した断面コ字状のスライドレール４１と、スライドレール４１の内部に収容される摺動用部材４２を有する。
【００１７】
また、スライドレール４１の内部に収容される摺動用部材４２は、スライドレール４１と一体成形によってスライド部品４０を構成してもよい。
また、例えばインサート成形等によりスライドレール４１がレール摺動部２４を円滑に摺動させることが出来る場合、摺動用部材４２を用意しなくてもよい。
【００１８】
スライドレール４１および摺動用部材４２には、各々スライドレール４１の内部に収容される摺動用部材４２を前後方向に貫通するスリット４１１，４２１が設けられており、レール摺動部２４の筒状部２４１がスリット４１１，４２１に沿ってスライド可能に貫通する。
これにより、スライドレール４１の内部に収容される摺動用部材４２は、上筐体２０に対してスムーズにスライドできるように支持される。
【００１９】
スライドレール４１の左右両端面４１２にはねじ孔４１３が設けられており、スライドレール４１の内部に収容される摺動用部材４２はねじ４３により下筐体３０に取り付けられる。
なお、図３に示すように、上筐体ケース部２２の前側にもスライドレール４４が設けられており、スライドレール４４はねじ４５により下筐体ケース部３２に取り付けられる。
これにより、上筐体２０は下筐体３０のスライドレール４４およびスライドレール４１の内部に収容される摺動用部材４２のスライドレール４１を介して、下筐体３０に対して相対的にスライド可能に支持されることになる。
【００２０】
図４および図５に示すように、フレキシブルケーブル２５は、一端が上筐体２０の表示部側コネクタ２３１に接続され、上筐体２０に対して同じ高さで（すなわち、平行に）設けられているレール摺動部２４に沿って、上筐体２０から引き出される。
そして、摺動用部材４２の側面、下筐体後カバー３４の内側において、フレキシブルケーブル２５は下方へ折り返されて（折返部２５１）、下筐体３０のメイン回路基板側コネクタ３５１に接続される（図６参照）。
【００２１】
すなわち、図５に示すように、フレキシブルケーブル２５では、レール摺動部２４の支持部２４２から左側へ突出し、下方へ折り返されてメイン回路基板側コネクタ３５１に接続されるまでの部分が、折返部２５１となる。
【００２２】
以上、説明した本発明に係る実施形態の携帯端末１０によれば、表示部側回路基板２３が収容された上筐体２０と、メイン回路基板３５が収容された下筐体３０とは、互いに積層されて、積層方向に対して直交する方向に沿って相対的に移動可能となっている。
【００２３】
そして、上筐体２０における積層方向に対して直交する一対の後端面２２２に対面するとともに、下筐体３０に支持されるスライドレール４１の内部に収容される摺動用部材４２を設け、レール摺動部２４により上筐体２０とスライドレール４１の内部に収容される摺動用部材４２とをスライド可能に連結する。さらに、上筐体２０の表示部側回路基板２３に接続されたフレキシブルケーブル２５を、スライドレール４１の内部に収容される摺動用部材４２を経由して下筐体３０のメイン回路基板３５に接続する。従って、フレキシブルケーブル２５は、スライドレール４１の内部に収容される摺動用部材４２において上下方向に折り返される。
これにより、互いに積層される上筐体２０および下筐体３０間にフレキシブルケーブル２５が配置されないため、上筐体２０および下筐体３０を密着させることができ、これにより総厚み寸法を小さくできる。
【００２４】
また、スライドレール４１の内部に収容される摺動用部材４２に設けられているスライドレール４１に、下筐体３０の移動方向に沿うスリット（開口部）４１１が設けられているので、上筐体２０に引き込まれているフレキシブルケーブル２５が、スリット４１１に沿って移動できる。スリット４１１は、上筐体２０の切欠部の内側面に設けられ、スライド方向に幅広に開口している。
【００２５】
さらに、フレキシブルケーブル２５が、スライドレール４１の内部に収容される摺動用部材４２の内部において折り返されているので、上筐体２０と下筐体３０との間のスライドストローク長を十分に採ることができる。
また、スライドレール４１の内部に収容される摺動用部材４２においてフレキシブルケーブル２５を折り返しているので、上筐体２０および下筐体３０にはフレキシブルケーブル２５の折返のための厚さが必要なくなり、上筐体２０および下筐体３０を密着させることができ、これにより総厚み寸法を小さくできる。
【００２６】
なお、本発明の携帯端末は、前述した実施形態に限定されるものでなく、適宜な変形，改良等が可能である。
【００２７】
例えば、前述した実施形態において例示したレール摺動部２４は、必ずしも片側だけで構成する必要はなく、配線に応じてもう一方のレールも同等の構造にしたレール摺動部２４とフレキシブルケーブル２５を引き回す事は可能である。
【００２８】
また、前述した実施形態においては、配線部材としてフレキシブルケーブル２５を用いた場合を例示したが、このほか、図７に示すように、同軸ケーブル２６を用いることも可能である。
【００２９】
また、前述した実施形態においては、配線部材としてフレキシブルケーブル２５を用いた場合を例示したが、このほか、図７に示すように、同軸ケーブル２６を用いることも可能である。
【００３０】
この時、同軸ケーブル２６はフレキシブルケーブルと同等の屈曲性を確保するためにも図８で示すように屈曲エリアをラミネートでフラットな状態に補正させてもよい。
【００３１】
また、同軸ケーブル２６のラミネートは図９に示すように分割した構成で有ることが望ましい。
【産業上の利用可能性】
【００３２】
以上のように、本発明にかかる携帯端末は、切欠部を有する第１筐体部と、切欠部に収納され、第１筐体に対し、スライド可能な第２筐体と、切欠部の内側面に設けられ、スライド方向に幅広に開口した開口部と、第１筐体および第２筐体にそれぞれ収容された第１回路基板および第２回路基板と、第１回路基板に接続されて第１筐体における開口部から引き出され、第２筐体の第２回路基板に接続される配線部材と、を備えるため、第１筐体および第２筐体を密着させることができ、これにより総厚み寸法を小さくしつつ、スライド開放の距離を伸ばすことができるという効果を有し、互いに積層された第１筐体と第２筐体とを有するスライド式の携帯端末等として有用である。
【符号の説明】
【００３３】
１０  携帯端末
２０  上筐体（第１筐体）
２２１  開口部
２２２  後端面（端面）
２３  表示部側回路基板（第１回路基板）
２４  レール摺動部（連結部材）
２４１  筒状部
２５  フレキシブルケーブル（配線部材）
３０  下筐体（第２筐体）
３５  メイン回路基板（第２回路基板）
４１  スライドレール
４１１  スリット（開口部）
【図１】
2013135321.tif 000003
【図２】
2013135321.tif 000004
【図３】
2013135321.tif 000005
【図４】
2013135321.tif 000006
【図５】
2013135321.tif 000007
【図６】
2013135321.tif 000008
【図７】
2013135321.tif 000009
【図８】
2013135321.tif 000010
【図９】
2013135321.tif 000011